(57)【要約】【課題】リモコンシステムにおいて、複数のユ−ザによって使用される場合であっても、ユ−ザによる操作の手間を軽減し、使い勝手を良くする。【解決手段】リモコンシステムは、リモコンと、このリモコンから送信されるリモコン信号を受信するＴＶ受像機とを含む。リモコンは、ユ−ザの認証を正常に完了した場合、その後、ユ−ザによって操作ボタンが操作されると、リモコンＩＤと操作に対応するコマンドとを含むリモコン信号をＴＶ受像機に送信する。ユ−ザによってメニュ−の表示が指示されると、ＴＶ受像機は、リモコンからリモコン信号を受信する（Ｓ１１）。そして、ＴＶ受像機は、受信したリモコンＩＤに対応するユ−ザＩＤを特定して（Ｓ１３）、メニュ−表示言語管理情報から、ユ−ザＩＤに対応する表示言語を取得し（Ｓ１４）、取得した表示言語を設定し、設定した表示言語でメニュ−をディスプレイに表示する（Ｓ１５）。【選択図】図５
2012004942.tif 000002
【特許請求の範囲】
【請求項１】
リモコン信号を送信するリモコンと、このリモコンから送信されたリモコン信号を受信し、受信したリモコン信号の内容に基づいて処理を行う受信機器とを含むリモコンシステムにおいて、
前記リモコンは、
ユ−ザによって操作され、各種情報の入力や操作指示を行うための入力操作手段と、
ユ−ザによって前記入力操作手段が操作されて入力された情報に基づいて、ユ−ザの認証を行うユ−ザ認証手段と、
前記受信機器に対してリモコン信号を送信するリモコン信号送信手段とを備え、
前記受信機器は、
前記リモコンから送信されたリモコン信号を受信するリモコン信号受信手段と、
複数のユ−ザ識別情報のそれぞれに対応するユ−ザ設定情報を記録するユ−ザ設定情報記録手段とを備え、
前記リモコンは、前記ユ−ザ認証手段によるユ−ザ認証が正常に完了した場合に、ユ−ザによって前記入力操作手段が操作されたとき、前記リモコン信号送信手段を用いてユ−ザ識別情報を含むリモコン信号を前記受信機器に送信し、
前記受信機器は、前記リモコン信号受信手段を用いて、前記リモコンから送信されたリモコン信号を受信すると、前記ユ−ザ設定情報記録手段から、前記リモコン信号に含まれるユ−ザ識別情報に対応するユ−ザ設定情報を取得し、取得したユ−ザ設定情報に基づいて処理を行うことを特徴とするリモコンシステム。
【請求項２】
前記受信機器は、コンテンツを再生する再生手段をさらに備え、
前記ユ−ザ設定情報には、レジュ−ム情報が含まれ、
前記受信機器は、前記リモコン信号受信手段を用いて、前記リモコンからコンテンツのレジュ−ム再生を指示する情報を含むリモコン信号を受信すると、前記ユ−ザ設定情報記録手段から、前記リモコン信号に含まれるユ−ザ識別情報に対応するレジュ−ム情報を取得し、取得したレジュ−ム情報に基づいて、コンテンツのレジュ−ム再生動作を行うことを特徴とする請求項１に記載のリモコンシステム。
【請求項３】
前記ユ−ザ設定情報には、メニュ−の表示言語情報が含まれ、
前記受信機器は、前記リモコン信号受信手段を用いて、前記リモコンからメニュ−の表示を指示する情報を含むリモコン信号を受信すると、前記ユ−ザ設定情報記録手段から、該リモコン信号に含まれるユ−ザ識別情報に対応するメニュ−の表示言語情報を取得し、取得したメニュ−の表示言語情報に基づく言語でメニュ−の表示を行うことを特徴とする請求項１に記載のリモコンシステム。
【請求項４】
前記受信機器は、インタ−ネットに接続するためのネットワ−ク通信手段をさらに備え、
前記ユ−ザ設定情報には、インタ−ネット上の認証が必要なサイトにアクセスするためのユ−ザＩＤ及びパスワ−ドの情報が含まれ、
前記受信機器は、前記リモコン信号受信手段を用いて、前記リモコンからインタ−ネット上の認証が必要なサイトにアクセスするように指示するコマンドを含むリモコン信号を受信すると、前記ユ−ザ設定情報記録手段から、前記リモコン信号に含まれるユ−ザ識別情報に対応するユ−ザＩＤ及びパスワ−ドを取得し、取得したユ−ザＩＤ及びパスワ−ドを用いて、前記ネットワ−ク通信手段により、前記インタ−ネット上の認証が必要なサイトにアクセスすることを特徴とする請求項１に記載のリモコンシステム。
【発明の詳細な説明】
【技術分野】
【０００１】
本発明は、リモコンを用いて受信機器の操作を行うリモコンシステムに関する。
【背景技術】
【０００２】
従来から、リモコン信号を送信するリモコンと、このリモコンから送信されたリモコン信号を受信して、このリモコン信号の内容に基づく処理を行うテレビジョン（以下、ＴＶという）受像機等の受信機器とを備えるリモコンシステムが知られている。ＴＶ受像機には、一般的に、ユ−ザの好みに応じた設定が可能な設定項目がある。例えば、メニュ−の表示言語について、「日本語」、「英語」、又は「中国語」のいずれかの中からユ−ザが好みの言語を設定することができる。ユ−ザによって設定された言語は、ＴＶ受像機に記憶され、再度、ユ−ザがＴＶ受像機を使用するときに、ＴＶ受像機は記憶されている言語を表示言語として設定する。これにより、ユ−ザは、表示言語の再設定を行う手間を軽減することができる。しかしながら、この種のＴＶ受像機では、複数のユ−ザによって使用される場合、ユ−ザ毎に設定したい表示言語が異なるとき、ユ−ザがＴＶ受像機を使用する度に表示言語の設定を行わなければならず、ユ−ザにとって手間が掛かり、使い勝手が悪いという問題がある。
【０００３】
これに対して、複数のユ−ザのそれぞれの設定情報を記憶しておき、使用時に、ユ−ザを認証して識別し、識別したユ−ザに対応する設定情報を読み出すことにより、複数のユーザによって使用される場合であっても、ユ−ザが再度設定を行う必要がなく、手間を軽減可能であるＴＶ受像機が知られている。しかしながら、このＴＶ受像機では、複数のユ−ザがＴＶ受像機を使用する場合、それぞれのユ−ザがＴＶ受像機に対してユ−ザの認証操作を行う必要がある。具体的には、ユ−ザＡが認証操作を行うことによりユ−ザＡの設定情報でＴＶ受像機を使用した後に、ユ−ザＢが認証操作を行うことによりユ−ザＢの設定情報でＴＶ受像機を使用する。その後、ユ−ザＡが再度、ＴＶ受像機を使用する場合、ユ−ザＡは、再びユ−ザＡの認証操作を行うことによりユ−ザＡの設定情報を読み出す必要がある。従って、複数のユーザで使用する場合、このＴＶ受像機では、ユ−ザによる操作の手間を十分に軽減できない。
【０００４】
ところで、特許文献１には、リモコン装置側にレジュ−ム情報を保持させることにより、再生装置側でユ−ザごとのレジュ−ム情報の管理を行う必要がないリモコンシステムが開示されている。しかしながら、このリモコンシステムは、リモコン装置がレジュ−ム情報を保持するだけであるため、上記問題を解決できない。
【０００５】
また、特許文献２には、複数の識別コ−ドを送信可能な外部機器と、固有の識別コ−ドを送信可能なリモコンと、識別コ−ドを受信可能な録画再生装置とを備え、録画再生装置が、複数の識別コ−ドを受信したときに、それらの信号の受信強度を比較して、最も受信強度の強い識別コ−ドを抽出してユ−ザを識別し、そのユ−ザを自動的に特定する録画再生管理システムが開示されている。しかしながら、このシステムでは、録画再生装置を利用したいユ−ザが録画再生装置の一番近くに常に位置しなければならず、使い勝手が悪い。また、このシステムでは、上記問題を解決できない。
【先行技術文献】
【特許文献】
【０００６】
【特許文献１】特許２００９−４３３０９号公報
【特許文献２】特開２００６−９４１１４号公報
【発明の概要】
【発明が解決しようとする課題】
【０００７】
本発明は、上述した問題点を解決するためになされたものであり、複数のユ−ザによって使用される場合であっても、ユ−ザによる操作の手間を軽減でき、ユ−ザにとって使い勝手の良いリモコンシステムを提供することを目的とする。
【課題を解決するための手段】
【０００８】
上記目的を達成するために請求項１の発明は、リモコン信号を送信するリモコンと、このリモコンから送信されたリモコン信号を受信し、受信したリモコン信号の内容に基づいて処理を行う受信機器とを含むリモコンシステムにおいて、前記リモコンは、ユ−ザによって操作され、各種情報の入力や操作指示を行うための入力操作手段と、ユ−ザによって前記入力操作手段が操作されて入力された情報に基づいて、ユ−ザの認証を行うユ−ザ認証手段と、前記受信機器に対してリモコン信号を送信するリモコン信号送信手段とを備え、前記受信機器は、前記リモコンから送信されたリモコン信号を受信するリモコン信号受信手段と、複数のユ−ザ識別情報のそれぞれに対応するユ−ザ設定情報を記録するユ−ザ設定情報記録手段とを備え、前記リモコンは、前記ユ−ザ認証手段によるユ−ザ認証が正常に完了した場合に、ユ−ザによって前記入力操作手段が操作されたとき、前記リモコン信号送信手段を用いてユ−ザ識別情報を含むリモコン信号を前記受信機器に送信し、前記受信機器は、前記リモコン信号受信手段を用いて、前記リモコンから送信されたリモコン信号を受信すると、前記ユ−ザ設定情報記録手段から、前記リモコン信号に含まれるユ−ザ識別情報に対応するユ−ザ設定情報を取得し、取得したユ−ザ設定情報に基づいて処理を行うものである。
【０００９】
また、請求項２の発明は、請求項１に記載のリモコンシステムにおいて、前記受信機器は、コンテンツを再生する再生手段をさらに備え、前記ユ−ザ設定情報には、レジュ−ム情報が含まれ、前記受信機器は、前記リモコン信号受信手段を用いて、前記リモコンからコンテンツのレジュ−ム再生を指示する情報を含むリモコン信号を受信すると、前記ユ−ザ設定情報記録手段から、前記リモコン信号に含まれるユ−ザ識別情報に対応するレジュ−ム情報を取得し、取得したレジュ−ム情報に基づいて、コンテンツのレジュ−ム再生動作を行うものである。
【００１０】
また、請求項３の発明は、請求項１に記載のリモコンシステムにおいて、前記ユ−ザ設定情報には、メニュ−の表示言語情報が含まれ、前記受信機器は、前記リモコン信号受信手段を用いて、前記リモコンからメニュ−の表示を指示する情報を含むリモコン信号を受信すると、前記ユ−ザ設定情報記録手段から、該リモコン信号に含まれるユ−ザ識別情報に対応するメニュ−の表示言語情報を取得し、取得したメニュ−の表示言語情報に基づく言語でメニュ−の表示を行うものである。
【００１１】
また、請求項４の発明は、請求項１に記載のリモコンシステムにおいて、前記受信機器は、インタ−ネットに接続するためのネットワ−ク通信手段をさらに備え、前記ユ−ザ設定情報には、インタ−ネット上の認証が必要なサイトにアクセスするためのユ−ザＩＤ及びパスワ−ドの情報が含まれ、前記受信機器は、前記リモコン信号受信手段を用いて、前記リモコンからインタ−ネット上の認証が必要なサイトにアクセスするように指示するコマンドを含むリモコン信号を受信すると、前記ユ−ザ設定情報記録手段から、前記リモコン信号に含まれるユ−ザ識別情報に対応するユ−ザＩＤ及びパスワ−ドを取得し、取得したユ−ザＩＤ及びパスワ−ドを用いて、前記ネットワ−ク通信手段により、前記インタ−ネット上の認証が必要なサイトにアクセスするものである。
【発明の効果】
【００１２】
本発明によれば、リモコンは、ユ−ザ認証が正常に完了した場合に、ユ−ザ識別情報を含むリモコン信号を受信機器に送信し、受信機器は、リモコン信号を受信すると、このリモコン信号に含まれるユ−ザ識別情報に対応するユ−ザ設定情報を取得し、取得したユ−ザ設定情報に基づいて処理を行う。そのため、ユ−ザは、ユ−ザ認証が完了したリモコンを用いて受信機器を操作した後に、他のユ−ザによって受信機器の設定が変更されたとしても、その後、ユ−ザ認証が完了したリモコンを用いて受信機器を操作すれば、受信機器はユ−ザ設定情報に基づいて処理を行うので、ユ−ザが、再度、受信機器の設定を変更する必要がない。従って、複数のユ−ザによって使用される場合であっても、ユ−ザの操作の手間を軽減することができ、ユ−ザにとって使い勝手が良くなる。また、ユ−ザは受信機器側でユ−ザの認証を行うための操作を行う必要がなくなるため、操作の手間を軽減でき、使い勝手が良くなる。
【図面の簡単な説明】
【００１３】
【図１】本発明の第１の実施形態に係るリモコンと、このリモコンによって操作されるＴＶ受像機とを含むリモコンシステムの概略構成図。
【図２】上記ＴＶ受像機の内部構成を示すブロック図。
【図３】上記リモコンの内部構成を示すブロック図。
【図４】上記リモコンにおけるリモコン信号送信処理の手順を示すフローチャート。
【図５】上記ＴＶ受像機におけるメニューの表示処理の手順を示すフローチャート。
【図６】上記ＴＶ受像機におけるインタ−ネット上のサイトのアクセス処理の手順を示すフローチャート。
【図７】本発明の第２の実施形態に係るリモコンと、このリモコンによって操作されるＢＤプレーヤとを含むリモコンシステムの概略構成図。
【図８】上記ＢＤプレーヤの内部構成を示すブロック図。
【図９】上記ＢＤプレーヤにおけるレジューム再生処理の手順を示すフローチャート。
【発明を実施するための形態】
【００１４】
以下、本発明の第１の実施形態に係るリモコンシステムについて、図１乃至図３を参照して説明する。図１は、リモコン信号を送信するリモコン２と、このリモコン信号の内容に基づいて動作を行うテレビジョン（以下、ＴＶという）受像機（受信機器）３とを含むリモコンシステム１の概略構成を示す。図２は、リモコン２の内部構成を示し、図３は、ＴＶ受像機３の内部構成を示す。
【００１５】
リモコン２は、自身のリモコンＩＤ（ユ−ザ識別情報）２３ｃを含むリモコン信号を送信可能であり、ＴＶ受像機３は、リモコン２から送信されたリモコン信号を受信し、受信したリモコン信号内のリモコンＩＤ２３ｃからリモコン２を操作しているユーザのユーザＩＤを特定して、そのユ−ザＩＤに対応する設定情報（ユ−ザ設定情報）に基づいて処理を行う。リモコン２は、一人のユーザが専用で使用するものである。
【００１６】
リモコン２は、図２に示すように、ユ−ザによって操作され、各種情報の入力や操作指示を行うための操作ボタン（入力操作手段）２１と、ＴＶ受像機３に対してリモコン信号を送信するリモコン信号送信部（リモコン信号送信手段）２２と、各種情報を記憶するメモリ２３と、自装置の各部を制御する制御用マイコン２４とを備える。
【００１７】
メモリ２３は、制御用マイコン２４を動作させるためのプログラム２３ａと、ユ−ザ認証判断情報２３ｂと、リモコンＩＤ（ユ−ザ識別情報）２３ｃとを記憶している。
【００１８】
ユ−ザ認証判断情報２３ｂは、ユ−ザによって入力された情報に基づいて、ユ−ザの認証の可否を判断するための情報を格納している。具体的には例えば、ユ−ザ認証判断情報２３ｂは、ユ−ザを認証するためのパスワードを格納している。リモコンＩＤ２３ｃは、リモコン２に割り当てられた固有の識別値である。
【００１９】
制御用マイコン２４は、ユ−ザによる操作ボタン２１の操作によって入力された情報に基づいてユ−ザの認証を行うユ−ザ認証部（ユ−ザ認証手段）２４ａを有する。制御用マイコン２４は、ユ−ザによる操作ボタン２１の操作に応じて、リモコン信号送信部２２を用いて、リモコンＩＤ２３ｃを含むリモコン信号をＴＶ受像機３に送信する処理を行う。
【００２０】
ユ−ザ認証部２４ａは、ユ−ザによって入力されたパスワ−ドと、ユ−ザ認証判断情報２３ｂに記憶されたパスワ−ドとを比較し、これらが一致している場合、ユ−ザを認証する。
【００２１】
ＴＶ受像機３は、図３に示すように、放送局から放送される放送信号を受信するチューナ部３１と、チューナ部３１によって受信された放送信号に基づくＴＶ番組の映像を表示するディスプレイ３２と、ＴＶ番組の音声を出力するスピーカ３３と、リモコン２から送信されるリモコン信号を受信するリモコン信号受信部（リモコン信号受信手段）３４とを備える。また、ＴＶ受像機３は、筐体外部に露出するように設けられたＨＤＭＩ端子部３５と、インタ−ネットＮに接続するためのネットワークインタフェース（ネットワ−ク通信手段）３６と、各種情報を記憶したメモリ（ユ−ザ設定情報記録手段）３７と、装置各部を制御するための制御用マイコン（制御手段）３８とをさらに備える。
【００２２】
メモリ３７は、制御用マイコン３８を動作させるためのプログラム３７ａと、ユ−ザ特定情報３７ｂと、メニュ−表示言語管理情報（ユ−ザ設定情報、表示言語情報）３７ｃと、ネットワ−ク認証管理情報（ユ−ザ設定情報、ユ−ザＩＤ及びパスワ−ド）３７ｄとを記憶している。
【００２３】
ユ−ザ特定情報３７ｂは、リモコン２から受信したリモコンＩＤ２３ｃに対応するユ−ザＩＤ（ユ−ザ識別情報）が格納されており、リモコンＩＤ２３ｃからユ−ザを特定することができる。
【００２４】
メニュ−表示言語管理情報３７ｃは、複数のユ−ザＩＤのそれぞれに対応するメニュ−の表示言語を格納している。具体的には例えば、メニュ−表示言語管理情報３７ｃは、ユーザＡのユ−ザＩＤに対応するメニュ−の表示言語として「日本語」や、ユーザＢのユーザＩＤに対応するメニュ−の表示言語として「英語」を格納している。ユ−ザが初めて表示言語を設定する際に、ユ−ザＩＤと、設定した表示言語とがメニュ−表示言語管理情報３７ｃに自動的に格納される。
【００２５】
ネットワーク認証管理情報３７ｄは、複数のユ−ザＩＤのそれぞれに対応する、インタ−ネットＮ上の認証が必要なサイトにアクセスする際に必要な認証用ユ−ザＩＤ及び認証用パスワ−ドを格納している。具体的には例えば、ネットワ−ク認証管理情報３７ｄは、認証が必要なサイトにアクセスする際の、ユーザＡのユ−ザＩＤに対応するサイト認証用ユ−ザＩＤ及びサイト認証用パスワ−ドや、ユーザＢのユ−ザＩＤに対応するサイト認証用ユ−ザＩＤ及びサイト認証用パスワ−ドを格納している。
【００２６】
制御用マイコン３８は、映像出力部３８ａと、音声出力部３８ｂと、ユ−ザ特定部３８ｃと、メニュ−言語設定表示部３８ｄと、ネットワ−ク認証情報取得部３８ｅと、ネットワ−ク通信部３８ｆとを有し、ユーザによるリモコン２の操作に基づいて自装置を動作させる。
【００２７】
映像出力部３８ａは、チューナ部３１によって受信されたＴＶ番組の映像をディスプレイ３２に出力する。音声出力部３８ｂは、チューナ部３１によって受信されたＴＶ番組の音声をスピーカ３３に出力する。ユ−ザ特定部３８ｃは、ユ−ザ特定情報３７ｂの内容に基づいて、リモコンＩＤ２３ｃからユ−ザＩＤを特定して取得する。
【００２８】
メニュ−言語設定表示部３８ｄは、メニュ−表示言語管理情報３７ｃから、ユ−ザＩＤに対応する表示言語を取得し、取得した表示言語に基づくメニュ−をディスプレイ３２に表示する。
【００２９】
ネットワ−ク認証情報取得部３８ｅは、ネットワ−ク認証管理情報３７ｄから、ユ−ザＩＤに対応するサイト認証用ユ−ザＩＤ及びサイト認証用パスワ−ドを取得する。
【００３０】
ネットワ−ク通信部３８ｆは、ネットワ−クインタフェース３６を介して、各種デ−タの送受信を行うことにより、インタ−ネットＮ上のサイトにアクセスを行う。また、ネットワ−ク通信部３８ｆは、認証が必要なサイトにアクセスする際には、ネットワ−ク認証情報取得部３８ｅによって取得されたサイト認証用ユ−ザＩＤ及びサイト認証用パスワ−ドを用いてサイトにアクセスを行う。
【００３１】
次に、リモコン２におけるリモコン信号送信処理について、図４に示すフローチャートを参照して説明する。
【００３２】
まず、ユ−ザが操作ボタン２１を操作して、認証を行うためのパスワ−ドを入力すると（Ｓ１）と、制御用マイコン２４は、ユ−ザ認証部２４ａを用いて、ユ−ザによって入力されたパスワ−ドに基づいてユ−ザを認証する（Ｓ２）。具体的には例えば、制御用マイコン２４は、ユ−ザ認証部２４ａを用いて、ユ−ザ認証判断情報２３ｂ内のパスワ−ドと、上記Ｓ１でユ−ザによって入力されたパスワ−ドとが一致する場合、ユ−ザを認証する。
【００３３】
上記Ｓ２においてユ−ザの認証が正常に完了した場合（Ｓ３でＹＥＳ）、その後、ユ−ザによって操作ボタンが操作されると（Ｓ４でＹＥＳ）、制御用マイコン２４は、リモコン信号送信部２２を用いて、リモコンＩＤ２３ｃと、ユ−ザによる操作に対応するコマンドとを含むリモコン信号をＴＶ受像機３に送信する（Ｓ５）。
【００３４】
そして、制御用マイコン２４は、ユ−ザの認証が完了してから一定時間が経過している場合（Ｓ６でＹＥＳ）、処理を終了する。すなわち、ユ−ザの認証状態を解除する。
【００３５】
次に、ＴＶ受像機３におけるメニュ−の表示処理について、図５に示すフローチャートを参照して説明する。ここでは、ユ−ザによってリモコン２の操作ボタン２１が操作され、ＴＶ受像機３の電源オンとメニュ−の表示が指示されたものとする。また、ＴＶ受像機２は、主電源がオフであるスタンバイ状態であるものとする。
【００３６】
まず、ＴＶ受像機３の制御用マイコン３８は、リモコン信号受信部３４を用いて、リモコン２から電源のオンを指示すると共にメニュ−の表示を指示するコマンドと、リモコンＩＤ２３ｃとを含むリモコン信号を受信すると（Ｓ１１）、主電源をオンし（Ｓ１２）、ユ−ザ特定部３８ｃを用いて、ユ−ザ特定情報３７ｂから、受信したリモコンＩＤ２３ｃに対応するユ−ザＩＤを特定して取得する（Ｓ１３）。
【００３７】
そして、制御用マイコン３８は、メニュ−言語設定表示部３８ｄを用いて、メニュ−表示言語管理情報３７ｃから、取得したユ−ザＩＤに対応する表示言語を取得し（Ｓ１４）、取得した表示言語を設定し、設定した表示言語でメニュ−をディスプレイ３２に表示する（Ｓ１５）。具体的には例えば、上記Ｓ１３でリモコンＩＤ２３ｃからユーザＡのユーザＩＤを特定した場合（Ｓ１３に相当）、このユ−ザＩＤに対応する表示言語として「日本語」を取得し（上記Ｓ１４に相当）、日本語でメニュ−をディスプレイ３２に表示する（Ｓ１５に相当）。
【００３８】
次に、ＴＶ受像機３におけるインタ−ネットＮ上のサイトのアクセス処理について、図６に示すフローチャートを参照して説明する。ここでは、ユ−ザによってリモコン２の操作ボタン２１が操作され、インタ−ネットＮ上の認証が必要なサイトへのアクセスが指示されたものとする。
【００３９】
まず、ＴＶ受像機３は、リモコン信号受信部３４を用いて、リモコン２からインタ−ネット上の認証が必要なサイトにアクセスするように指示するコマンドと、リモコンＩＤ２３ｃとを含むリモコン信号を受信すると（Ｓ２１）、ユ−ザ特定部３８ｃを用いて、ユ−ザ特定情報３７ｂから、受信したリモコンＩＤ２３ｃに対応するユ−ザＩＤを特定して取得する（Ｓ２２）。
【００４０】
そして、制御用マイコン３８は、ネットワ−ク認証情報取得部３８ｅを用いて、ネットワ−ク認証管理情報３７ｄから、取得したユ−ザＩＤに対応するサイト認証用ユ−ザＩＤ及びサイト認証用パスワ−ドを取得する（Ｓ２３）。そして、ネットワ−ク通信部３８ｆを用いて、取得したサイト認証用ユ−ザＩＤ及びサイト認証用パスワ−ドにより、ユ−ザによって指定されたサイトにアクセスする（Ｓ２４）。
【００４１】
上述したように、本実施形態に係るリモコンシステム１においては、リモコン２は、ユ−ザ認証が正常に完了した場合に、リモコンＩＤ２３ｃを含むリモコン信号をＴＶ受像機３に送信し、ＴＶ受像機３は、リモコン信号を受信すると、このリモコン信号に含まれるリモコンＩＤ２３ｃからユ−ザＩＤを特定して取得し、取得したユ−ザＩＤに対応するメニュ−の表示言語や、サイト認証用ユ−ザＩＤ及びサイト認証用パスワ−ドを取得し、取得した情報に基づいて処理を行う。
【００４２】
そのため、例えば、ユ−ザＡが、リモコン２を用いてＴＶ受像機３のメニュ−の表示言語を変更した後に、ユ−ザＢによってＴＶ受像機３のメニュ−の表示言語が変更された場合であっても、その後、ユ−ザＡが、リモコン２を用いてＴＶ受像機３のメニュ−の表示を指示をすれば、前回、ユ−ザＡが設定した表示言語で、自動的にメニュ−が表示される。従って、ユ−ザＡは、再度、メニュ−の表示言語を設定し直す必要がないため、操作の手間を軽減することができ、ユ−ザにとって使い勝手が良くなる。
【００４３】
また、ユ−ザがリモコン２を用いて、インタ−ネットＮ上の認証が必要なサイトへのアクセスを指示するとき、ＴＶ受像機３は、リモコンＩＤ２３ｃからユ−ザＩＤを特定して、ユ−ザＩＤに対応するサイト認証用ユ−ザＩＤ及びサイト認証用パスワ−ドを取得し、取得したサイト認証用ユ−ザＩＤ及びサイト認証用パスワ−ドにより、ユ−ザによって指定されたサイトにアクセスする。そのため、ユ−ザは、リモコン２を操作することによりサイト認証用ユ−ザＩＤ及びサイト認証用パスワ−ドを入力する必要がないため、操作の手間を軽減することができ、ユ−ザにとって使い勝手が良くなる。
【００４４】
以下、本発明の第２の実施形態に係るリモコンシステムについて、図７及び図８を参照して説明する。図７は、リモコン信号を送信するリモコン２と、このリモコン信号の内容に基づいて動作を行うブル−レイディスク（以下、ＢＤという）プレ−ヤ（受信機器）５とを含むリモコンシステム１の概略構成を示す。図８は、ＢＤプレ−ヤ５の内部構成を示す。本実施形態におけるリモコン２は、上述した図２に示す構成と同様であり、リモコン信号送信処理は、上述した図４に示す手順と同様であるため、それらの説明を省略する。
【００４５】
ＢＤプレ−ヤ５は、図８に示すように、リモコン２から送信されるリモコン信号を受信するリモコン信号受信部（リモコン信号受信手段）５１と、筐体外部に露出するように設けられたＨＤＭＩ端子部５２と、ＢＤディスクｄが装着される光ディスクドライブ（再生手段）５３と、各種情報を記憶したメモリ（ユ−ザ設定情報記録手段）５４と、装置各部を制御するための制御用マイコン（制御手段）５５とを備える。
【００４６】
ＨＤＭＩ端子部５２には、映像を表示可能なモニタ装置７と接続されたＨＤＭＩケーブル６の一端が接続される。光ディスクドライブ５３は、コンテンツが記録されたＢＤディスクｄが内部に装着され、ＢＤディスクｄからのコンテンツを読み出して再生処理を行う。
【００４７】
メモリ５４は、制御用マイコン５５を動作させるためのプログラム５４ａと、ユ−ザ特定情報５４ｂと、レジュ−ム管理情報５４ｃとを記憶している。ユ−ザ特定情報５４ｂとしては、リモコン２から受信したリモコンＩＤ２３ｃに対応するユ−ザＩＤ（ユ−ザ識別情報）が格納されており、リモコンＩＤ２３ｃからユ−ザを特定することができる。レジュ−ム管理情報５４ｃは、複数のユ−ザＩＤのそれぞれに対応する再生停止位置を格納している。
【００４８】
制御用マイコン５５は、再生出力部（再生手段）５５ａと、ユ−ザ特定部５５ｂと、レジュ−ム情報管理部５５ｃとを有し、ユーザによるリモコン２の操作に基づいて自装置を動作させる。
【００４９】
ユ−ザ特定部５５ｂは、ユ−ザ特定情報５４ｂの内容に基づいて、リモコン２から受信したリモコンＩＤ２３ｃからユ−ザＩＤを特定する。レジュ−ム情報管理部５５ｃは、ユ−ザがリモコン２を操作してＢＤディスクｄの再生を停止させたときに、ユ−ザＩＤと、再生停止位置とをレジュ−ム管理情報５４ｃに書込む。また、レジュ−ム情報管理部５５ｃは、ユ−ザがリモコン２を操作してレジュ−ム再生を指示するとき、レジュ−ム管理情報５４ｃから、ユ−ザＩＤに対応する再生停止位置を取得する。
【００５０】
次に、ＢＤプレ−ヤ５におけるレジュ−ム再生処理について、図９に示すフローチャートを参照して説明する。ここでは、ユ−ザによってリモコン２の操作ボタン２１が操作され、ＢＤディスクｄのレジュ−ム再生が指示されたものとする。
【００５１】
まず、ＢＤプレ−ヤの制御用マイコン５５は、リモコン信号受信部５１を用いて、リモコン２からレジュ−ム再生を指示するコマンドと、リモコンＩＤ２３ｃとを含むリモコン信号を受信すると（Ｓ３１）、ユ−ザ特定部５５ｂを用いて、受信したリモコンＩＤ２３ｃからユ−ザＩＤを特定して取得する（Ｓ３２）。
【００５２】
そして、制御用マイコン５５は、レジュ−ム情報管理部５５ｃを用いてレジュ−ム管理情報５４ｃから、取得したユ−ザＩＤに対応する再生停止位置を取得し（Ｓ３３）、再生出力部５５ａを用いて、取得した再生停止位置に基づいて、ＢＤディスクｄのレジュ−ム再生を行う（Ｓ３４）。
【００５３】
上述したように、本実施形態に係るリモコンシステム１においては、リモコン２は、ユ−ザ認証が正常に完了した場合に、レジュ−ム再生を指示するコマンドとリモコンＩＤ２３ｃとを含むリモコン信号をＢＤプレ−ヤ５に送信し、ＢＤプレ−ヤ５は、リモコン信号を受信すると、リモコンＩＤ２３ｃからユ−ザＩＤを特定して取得し、このユ−ザＩＤに対応する再生停止位置を取得し、取得した再生停止位置に基づいてレジュ−ム再生を行う。そのため、ユ−ザは、ＢＤプレ−ヤに対して直接認証操作を行うことなしに、自身のユ−ザＩＤに対応する再生停止位置からレジュ−ム再生を行うことができるため、操作の手間を軽減することができ、使い勝手が良くなる。また、リモコン２は、ユ−ザ毎の再生停止位置を記憶する必要がないため、記憶領域を縮小することができ、製造コストを抑制することができる。
【００５４】
なお、本発明は、上記各実施形態の構成に限られず、発明の趣旨を変更しない範囲で種々の変形が可能である。例えば、上記各実施形態において、リモコン２によるユ−ザの認証は、ユ−ザの指紋や網膜等の生体認証を用いて行ってもよい。また、リモコン２は、リモコン信号を送信可能である無線機能を有する携帯電話や携帯ゲーム機等であってもよい。
【符号の説明】
【００５５】
１  リモコンシステム
２  リモコン
３  ＴＶ受像機（受信機器）
５  ＢＤプレ−ヤ（受信機器）
２１  操作ボタン（入力操作手段）
２２  リモコン信号送信部（リモコン信号送信手段）
３４  リモコン信号受信部（リモコン信号受信手段）
３６  ネットワークインタフェース（ネットワ−ク通信手段）
３７  メモリ（ユ−ザ設定情報記録手段）
５１  リモコン信号受信部（リモコン信号受信手段）
５３  光ディスクドライブ（再生手段）
５４  メモリ（ユ−ザ設定情報記録手段）
５５  制御用マイコン（制御手段）
２３ｃ  リモコンＩＤ（ユ−ザ識別情報）
２４ａ  ユ−ザ認証部（ユ−ザ認証手段）
３７ｂ  メニュ−表示言語情報（ユ−ザ設定情報、表示言語情報）
３７ｃ  ネットワ−ク認証情報（ユ−ザ設定情報、ユ−ザＩＤ及びパスワ−ドの情報）
５４ｂ  レジュ−ム情報
５５ａ  再生出力部（再生手段）
【図１】
2012004942.tif 000003
【図２】
2012004942.tif 000004
【図３】
2012004942.tif 000005
【図４】
2012004942.tif 000006
【図５】
2012004942.tif 000007
【図６】
2012004942.tif 000008
【図７】
2012004942.tif 000009
【図８】
2012004942.tif 000010
【図９】
2012004942.tif 000011